(57)【特許請求の範囲】
【請求項１】
帯状の記録紙をロール状に巻回したロール記録紙が収納される記録紙収納室と、記録紙収納室に開閉自在に設けられ、記録紙を交換するときに開閉される蓋と、前記ロール記録紙の外周を記録紙収納室の送出口から記録紙を記録紙収納室の外部に送り出す給紙ローラに押圧する押圧手段とを備えた記録紙収納装置において、
前記押圧手段は、
前記ロール記録紙の外周を給紙ローラに押圧する押圧位置と前記押圧を解除する解除位置との間で移動する第１の押さえ板と、
第１の押さえ板を押圧位置に向けて付勢する第１の付勢手段と、
閉じるときに蓋に設けた押圧部に押圧される被押圧部を有し、一方向と他方向との間で移動自在となっており、前記押圧部で被押圧部が押圧されることで前記一方向に向けて移動する第２の押さえ板と、
前記第２の押さえ板が一方向に向けて移動するときに前記第１の押さえ板を押圧位置に向けて付勢し、また前記蓋を開けて前記被押圧部への押圧を解除することで前記第２の押さえ板を前記他方向に付勢移動して前記第１の押さえ板への付勢を解除する第２の付勢手段と、
で構成されていることを特徴とする記録紙収納装置。
【請求項２】
前記第２の押さえ板は、前記第１の押さえ板に接近する接近位置と離れる離反位置との間で移動自在となっており、前記第２の付勢手段を、一端が第１の押さえ板に、他端が第２の押さえ板にそれぞれ支持される圧縮バネとし、前記圧縮バネは、前記第２の押さえ板が接近位置のときに前記第１の押さえ板を押圧位置に向けて付勢し、また前記蓋を開けて前記被押圧部への押圧が解除されたときには前記第２の押さえ板を離反位置に付勢移動して前記第１の押さえ板への付勢を解除することを特徴とする請求項１記載の記録紙収納装置。
【請求項３】
前記第１の押さえ板は、ロール記録紙の両端を支持するペーパーホルダの軸を直接又は間接的に押圧することを特徴とする請求項１又は２記載の記録紙収納装置。
【請求項４】
ロール記録紙をセットするときに前記ペーパーホルダの両軸が挿入されるとともに、外周面が給紙ローラに常に接するように巻き径に係わらず記録紙ロールを給紙ローラに向けて案内する向き及び長さで形成されたガイド溝を設けた支持板を前記記録紙収納室に対峙して一対設け、前記第１の押さえ板は、押圧位置のときに前記軸のガイド溝への挿入を阻止する位置となっており、第１の付勢手段のみの付勢に抗して解除位置に移動させることで前記軸のガイド溝への挿入を許容することを特徴とする請求項３記載の記録紙収納装置。
【請求項５】
前記第１の押さえ板には、ロール記録紙をセットするときに前記軸が当接し、ロール記録紙の重さにより第１の押さえ板を解除位置に向けて移動させる案内部が形成されていることを特徴とする請求項４記載の記録紙収納装置。
【発明の詳細な説明】
【０００１】
【発明の属する技術分野】
本発明は、感熱記録紙や印画紙などのロール状の記録紙が交換可能に収納される給紙マガジンやプリンタ用の記録紙収納装置に関するものである。
【０００２】
【従来の技術】
特開平１０−２９１３５０号公報には、プリンタ等に用いられる給紙マガジンが提案されている。この給紙マガジンは、ロール記録紙を収納するケース本体と蓋とから構成されている。ケース本体には、給紙ローラが組み込まれている。給紙ローラは、プリンタ側から駆動されて回転し、ロール記録紙をマガジンからプリンタ内に送り出す。この送り出しを確実にするために、給紙マガジンにはロール記録紙の最外周を常に給紙ローラに押圧する押圧機構が設けられている。
【０００３】
押圧機構は、押さえレバーとバネとを持っている。押さえレバーは、ロール記録紙を保持するペーパーホルダーの軸両端に当接してロール記録紙を給紙ローラに押圧する押圧位置と軸両端から離れてその押圧を解除する解除位置との間で移動自在に設けられている。バネは、押さえレバーと蓋とに取り付けられている。蓋を開くとバネによって押さえレバーが引っ張られて解除位置に移動する。蓋を閉じるとバネに押されて押さえレバーが押圧位置に移動して所定の押圧力を軸両端に与える。
【０００４】
また、特開２００１−１９２１５２号公報に記載の押圧機構では、リンク機構を用いて蓋の開閉に押さえレバーの移動を連動させている。そして、蓋の開閉力を受ける範囲内に死点位置が位置するようにトグルバネを設け、前記押さえレバーをトグルバネによって押圧位置又は解除位置に向けて付勢している。
【０００５】
【発明が解決しようとする課題】
しかしながら、前者公報記載の押圧機構では、蓋の開閉量が大きく、この開閉量に応じてバネも伸縮されるから、バネがへたったり、変形したりする。このため、押圧機構の押圧が一定にならず、信頼性に欠ける欠点があった。また、後者公報記載の押圧機構では、前記所定の押圧力をトグルバネのみの付勢を利用して押さえレバーがロール記録紙に与えている。このため、トグルバネが支点位置を超える前後での蓋の開閉操作に大きな力が必要となる。また、トグルバネが支点位置を超えたときに押さえレバーが前記所定の押圧力で一気に押圧位置に移動するため、軸両端に当接するときに大きな衝撃が生じ、手や物の挟み込みがある場合には危険であり、また長期的に使用することでペーパーホルダーの軸両端に損傷を与える。
【０００６】
本発明は、上記課題を解決するためのものであり、押圧機構の信頼性を向上させ、また蓋の開閉操作を簡便にし、さらに押圧を安全に付与することができるようにした記録紙収納装置を提供することを目的とする。
【０００７】
【課題を解決するための手段】
上記目的を達成するために、本発明のプリンタの押圧機構では、ロール記録紙を給紙ローラに押圧する所定の押圧力を２つに分けて与えるようにしたものである。すなわち、最初に第１の押さえ板と第１の付勢手段とで前記所定の押圧力よりも弱い力でロール記録紙を給紙ローラに押圧しておき、蓋を閉めたときに、第２の押さえ板と第２の付勢手段とで、第１の押さえ板と第１の付勢手段とで与える押圧力を含めたトータルの押圧力が所定の押圧力となるように、ロール記録紙を給紙ローラに押圧するように構成する。
【０００８】
第２の押さえ板は、蓋の開閉操作に連動して第２の付勢手段の付勢力を第１の押さえ板に与える位置と第２の付勢手段の付勢力を第１の押さえ板に与えない位置との間で移動すればよい。
【０００９】
請求項２記載の発明では、第２の押さえ板を、第１の押さえ板に接近する接近位置と離れる離反位置との間で移動自在に設け、また、第２の付勢手段を、一端が第１の押さえ板に、他端が第２の押さえ板にそれぞれ支持される圧縮バネとしたものである。これによれば、第２の押さえ板が接近位置のときに圧縮バネが第１の押さえ板を押圧位置に向けて付勢し、また蓋を開けて被押圧部への押圧が解除されたときには圧縮バネが第２の押さえ板を離反位置に向けて付勢して第１の押さえ板への付勢が解除される。
【００１０】
ロール記録紙をセットするときには、そのままの形態ではセットしにくいので、ロール記録紙の両端を支持するペーパーホルダを一対用いるのが好適である。この場合には、第１の押さえ板がペーパーホルダの軸を直接又は間接的に押圧するように構成すればよい。
【００１１】
また、ペーパーホルダを用いる場合には、記録紙収納室に対峙して一対のガイド板を設け、ロール記録紙をセットするときに前記ペーパーホルダの両軸が挿入されるガイド溝をガイド板にそれぞれ設ける。そして、ガイド溝を、外周面が給紙ローラに常に接するように巻き径に係わらず記録紙ロールを給紙ローラに向けて案内する向き及び長さで形成すれば、ロール記録紙の装填を簡便に行える。この場合、ガイド溝から突出した軸を第１の押さえ板で押圧する。
【００１２】
また、ガイド溝から突出した軸を第１の押さえ板で押圧するように構成すると、押圧位置のときに第１の押さえ板が軸のガイド溝への挿入を阻止する位置となる。この場合には、第１の付勢手段の付勢に抗して第１の押さえ板を解除位置に移動させることで軸のガイド溝への挿入が許容される。この操作は、所定の押圧力よりも弱い付勢力である第１付勢手段の付勢に抗して行うため楽に行える。
【００１３】
第１の押さえ板に案内部を設け、案内部に軸が当接することで、ロール記録紙の重さにより第１の押さえ板が解除位置に向けて自動的に案内されるように構成すると、一々解除位置に向けて移動する操作が不要となるため、簡便である。
【００１４】
【発明の実施の形態】
プリンタ１０には、図１及び図３に示すように、スロット１１、操作部１２、記録紙排出口１３、記録紙装填用の蓋１４などが露呈して設けられている。スロット１１には、磁気記録媒体がセットされる。プリンタ１０は、磁気記録媒体に書き込まれた画像データを読み出し、読み出したデータをサーマルヘッドでカラー感熱記録紙にカラー記録する。
【００１５】
蓋１４は、プリンタ１０の上面に設けられている。その蓋１４を開閉すると、記録紙収納室１５の内部が露呈される。蓋１４は記録紙収納室１５に開閉自在に取り付けられており、記録紙収納室１５は、プリンタ本体側から駆動が伝達されることで記録紙をプリンタ本体内に送り出す給紙機能と、収納した記録紙を保護するための遮光性及び気密性を高める機能とを持っている。
【００１６】
蓋１４は、図示していないロック機構により閉じ位置でロックされる。ロック機構は、操作部１２に設けた開閉ボタンを操作することで蓋１４のロックを解除する。蓋１４が閉じ位置のときには、その蓋１４と記録紙収納室１５とが合わされる面に、内部を気密にするためのパッキン１６が取り付けられている。
【００１７】
記録紙収納室１５の底には、記録紙１７の出入り口となる送出口１８が形成されている。送出口１８には、遮蔽蓋１９が取り付けられている。遮蔽蓋１９は、送出口１８を遮蔽する遮蔽位置と開く開き位置との間で開閉し、通常はバネ２０により遮蔽位置に向けて付勢されている。この遮蔽蓋１９は、給紙時にプリンタ側の駆動部材によって給紙時に押圧されて開き位置に移動する。
【００１８】
記録紙１７は、図４に示すように、断面中空筒状の巻芯２１に巻かれたロール記録紙２２の形態となっている。巻芯２１の両端の開口には、ペーパーホルダ２３がそれぞれ取り付けられる。これら記録紙１７、巻芯２１、及び一対のペーパーホルダ２３とで記録紙ロールユニット２４を構成する。ペーパーホルダ２３は、取り外した後に新たなロール記録紙２２に取り付けて再使用される。
【００１９】
ペーパーホルダ２３は、ドラム部２５、鍔部２６、及びドラム軸２７とから構成されている。ドラム部２５は、巻芯２１の内周に接して巻芯２１を支持する。
【００２０】
鍔部２６は、巻芯２１の端に接して巻芯２１が軸方向に動かないように規制する。ドラム軸２７は、ドラム部２５及び鍔部２６を回転自在に支持する。
【００２１】
ドラム軸２７の端には、軸の延長線上でドラム部２５及び鍔部２６から外部に突出した位置に軸支持部２８が設けられている。軸支持部２８には、ガイド部２９、及び被押圧部３０とが設けられている。ガイド部２９は、一段凹んだ断面円形となっており、詳しくは後述するガイド溝に挿入される。被押圧部３０は、ガイド部２９の外側に断面矩形で突出しており、ガイド部２９に対して回転自在に取り付けられている。これら被押圧部３０は、詳しくは後述する第１の押さえ板によって押圧される。
【００２２】
記録紙収納室１５には、図５に示すように、一対の支持板３５が対峙して取り付けられている。支持板３５は、給紙ローラ３６の両端を回転自在に支持しており、また、支持板３５には、前述したガイド部２９が挿入されるガイド溝３７がそれぞれ形成されている。給紙ローラ３６の軸の一端には、プリンタ本体からの駆動が伝達されるギヤ３８が取り付けられている。
【００２３】
一対の支持板３５には、ガイド部２９を上方からガイド溝３７に導くための間口３９が形成されている。ガイド溝３７は、ロール記録紙２２の外周面が給紙ローラ３６に常に接するように、巻き径に係わらず記録紙ロールユニット２４を給紙ローラ３６に向けて案内する向き及び長さで形成されている。本実施形態では、ガイド溝３７をほぼ水平方向としている。
【００２４】
押圧機構４０は、一対の支持板３５と記録紙収納室１５を構成する左右側壁との間にそれぞれ一対設けられている。これらの押圧機構４０は、図６及び図７に示すように、軸４１、第１の押さえ板４２、ネジリバネ４３、圧縮バネ４４、第２の押さえ板４５、及び押さえ部４６などで構成されている。
【００２５】
軸４１は、支持板３５に植設されており、第１及び第２の押さえ板４２，４５を回転自在に支持する。第１の押さえ板４２には、軸受け部４７、押圧部４８、案内部４９、バネ掛け部５０、バネ受け部５１、及びストッパー５２などが設けられている。軸受け部４７には、軸４１が挿入される。
【００２６】
第１の押さえ板４２は、ロール記録紙２２の外周が給紙ローラ３６に押圧されるように押圧部４８で被押圧部３０を押圧する押圧位置とその押圧を解除する解除位置との間で軸４１を中心に回転する。ネジリバネ４３は、一端４３ａが支持板３５に設けたバネ掛け部５３に、他端４３ｂが第１の押さえ板４２に設けたバネ掛け部５０にそれぞれ係合し、第１の押さえ板４２を押圧位置に向けて付勢する。
【００２７】
ガイド部２９は、ロール記録紙２２の巻き径が最大、すなわち新たに交換したときと、最小のとき、すなわち記録紙がなくなる手前のときとでガイド溝３７での位置が異なる。巻き径が最大のときにはガイド部２９が給紙ローラ３６から離れた位置となり、また巻き径が最小のときにはガイド部２９が給紙ローラ３６に接近する位置となる。第１の押さえ板４２の押圧位置は、ガイド部２９が給紙ローラ３６から離れた位置と接近する位置との間で変化する。
【００２８】
第１の押さえ板４２は、前記いずれの押圧位置でも案内部４９が開口３９とガイド溝３７との範囲の一部を側面から塞いでガイド部２９が開口３９を通ってガイド溝３７に挿入されるのを阻止する位置となっている。案内板４９は、ロール記録紙２２をセットするときに被押圧部３０が当接し、ロール記録紙２２の重さにより第１の押さえ板４２をネジリバネ４３の付勢に抗して解除位置に向けて回転させる斜面となっている。解除位置に回転すると、開口３９とガイド溝３７との範囲の一部の側面を露呈するため、ガイド部２９のガイド溝３７への挿入が許容される。
【００２９】
ストッパー５２は、支持板３５に向けて突出して設けられており、支持板３５の端３５ａに当接してガイド部２９が給紙ローラ３６に接近する位置で押圧する押圧位置を超えて第１の押さえ板４２が回転することを阻止する。また、第１の押さえ板４２には、支持板３５に向けて突出したガイドピン５５が設けられている。ガイドピン５５は、支持板３５に設けたガイド開口５６に係合する。また、ガイドピン５５を設けた部位５８は、支持板３５にＬ字状に突出して設けたガイド板５９に挟装される。これにより第１の押さえ板４２は、回転により支持板３５の軸４１から抜け出ることが防止される。バネ受け部５１は、圧縮バネ４４の一端４４ａを支持する。
【００３０】
第２の押さえ板４５には、被押さえ部６０、ガイド開口６１、バネ受け部６２、軸受け部６３等が設けられている。被押さえ部６０には、蓋１４を閉じたときに蓋１４の内壁に設けた押さえ部４６に押圧される。軸受け部６３は、第１の押さえ板４２を取り付け後に、軸４１に挿入される。第２の押さえ板４５は、第１の押さえ板４２に重ねて取り付けられ、軸４１を中心として第１の押さえ板４２に接近する接近位置とこれから離れる離反位置との間で回転する。この回転規制は、第１の押さえ板４２に設けたフック６４と第２の押さえ板４５に設けたガイド開口６１との係合で行われる。そして、フック６４は、ガイド開口６１から飛び出して第２の押さえ板４５が第１の押さえ板４２から軸４１の軸方向に離れるのを防いでいる。バネ受け部６２は、圧縮バネ４４の他端４４ｂを支持する。また、軸４１には、第２の押さえ板４５を取り付け後にストッパー環６５が取り付けられる。
【００３１】
圧縮バネ４４は、蓋１４を閉じて押さえ部４６が被押さえ部６０を押圧したときに第２の押さえ板４５が接近位置に移動するときに第１の押さえ板４２を押圧位置に向けて付勢し、また蓋１４を開けて被押さえ部６０への押圧を解除したときに第２の押さえ板４５を解除位置に向けて付勢して第１の押さえ板４２への付勢を解除する。
【００３２】
次に上記構成の作用を説明する。記録紙ロールユニット２４を組み立てる場合には、新たな記録紙１７の巻芯２１の両端の開口にペーパーホルダ２３をそれぞ挿入する。これにより、記録紙ロールユニット２４を一体的に取り扱うことができる。
【００３３】
出来上がった記録紙ロールユニット２４をプリンタ１０の蓋１４を開けて記録紙収納室１５にセットする。このセットは、左右のガイド部２９が一対の支持板３５の間口３９を通ってガイド溝３７に入り込むようにする。
【００３４】
押圧機構４０は、記録紙ロールユニット２４がセットされていない状態では、図８に示すように、第１の押さえ板４２が、ネジリバネ４３の付勢により軸４１を中心とする時計方向に回転付勢されており、ストッパー５２が支持板３５の端３５ａに当接した位置で保持されている。また、第２の押さえ板４５は、圧縮バネ４４の付勢により第１の押さえ板４２から軸４１を中心とする反時計方向、すなわち第１の押さえ板４２から離反する方向に回転付勢されており、第１の押さえ板４２のフック６４がガイド開口５６の一端５６ａに係合して第１の押さえ板４２によって離反位置で保持されている。
【００３５】
第１の押さえ板４２は、図８に示す位置では、案内部４９が支持板３５の開口３９の一部を側面から塞いで記録紙ロールユニット２４の被押圧部３０がガイド溝３７に挿入されることを阻止している。記録紙ロールユニット２４のセット作業では、ガイド部２９を上方から開口３９に挿入する。このとき、被押圧部３０が案内部４９に当接し、案内部４９がネジリバネ４３の付勢に抗して第１の押さえ板４２を軸４１を中心とする反時計方向に回転させる。これにより第１の押さえ板４２は解除位置に向けて回転するため、図９に示すように、ガイド部２９のガイド溝３７への通過を許容する。なお、このとき、圧縮バネ４４の付勢により第１の押さえ板４２と一緒に第２の押さえ板４５も回転する。
【００３６】
挿入後は、ガイド部２９がガイド溝３７を滑ってロール記録紙２２が給紙ローラ３６に自然に寄ってロール記録紙２２の外周が給紙ローラ３６に当たる。このとき、押圧部４８が被押圧部３０に当接し、ネジリバネ４３のみの付勢力だけで押圧している。その後、蓋１４を閉める。
【００３７】
蓋１４が開放位置から中間位置までの閉じ間では、蓋１４の押さえ部４６が第２の押さえ板４５の被押さえ部６０に当接しない。そして、中間位置から閉じ位置に向けて閉じる間に、押さえ部４６が被押さえ部６０に当接し、その後の閉じ位置までの操作により押さえ部４６が被押さえ部６０を押圧する。その押圧により第２の押さえ板４５は、図１０に示すように、圧縮バネ４４の付勢に抗して軸４１を中心とする時計方向、すなわち第１の押さえ板４２に接近する方向に向けて回転する。このとき、押圧部４８が被押圧部３０に当接しているため第１の押さえ板４２の回転が阻止されており、よって第２の押さえ板４５の回転により第１の押さえ板４２との間で圧縮バネ４４を圧縮する。この圧縮バネ４４の圧縮により生じる反力が第１の押さえ板４２に付与される。この反力は、第１の押さえ板４２を、軸４１を中心とする時計方向に向けて付勢し、ネジリバネ４３のみの付勢で押圧部４８が被押圧部３０を押圧する力に加えられる。これにより、ロール記録紙２２の外周が給紙ローラ３６に所定の押圧力で押し付けられる。なお、蓋１４は、ロック機構により閉じ位置に保持される。
【００３８】
ロール記録紙２２の巻き径が少なくなると、ガイド部２９が給紙ローラ３６に向けて寄る。第１の押さえ板４２は、図１１に示すように、ガイド部２９が給紙ローラ３６に接近するにつれてネジリバネ４３と圧縮バネ４４との付勢により軸４１を中心として時計方向に回転して押圧部４８が被押圧部３０を押圧し続ける。この間、ロール記録紙２２の外周を給紙ローラ３６に押圧する押圧力が所定範囲の押圧力に維持することができるように圧縮バネ４４のコイル径、線径、長さ、巻き径などが決められている。
【００３９】
このようなプリンタ１０は、例えば記録紙１７として感熱記録紙が用いられる。カラー感熱プリンタ１０は、プリント操作が行われると、図１２に示すように、駆動部を駆動して遮蔽蓋１９を開いた後にプリンタ側の送りモータによって給紙ローラ３６を回転させて送出口１８を通して記録紙１７をプリンタ１０の内部に送る。
【００４０】
プリンタ内に送り出された記録紙１７は、搬送ローラ対７０によって三色面順次方式の記録部７１に搬送される。記録部７１は、記録紙１７を送り出し方向とその逆方向との往復搬送しながら、その送り出し方向への搬送中にサーマルヘッド７２でイエロー、マゼンタ、シアンの各色の記録とイエロー光定着器７３、マゼンダ光定着器７４とで定着とを行う。したがって、この間の往復搬送中は給紙ローラ３６も正逆回転される。
【００４１】
記録終了後には、記録紙１７をカッタ部７５に搬送する。カッタ部７５では、記録紙１７の切断予定位置がカッタの切断位置に合った後にカッタを作動する。これにより画像が記録された記録紙１７ａは、帯状記録紙１７から１枚のシートに切り離される。切り離されたシート１７ａは排出ローラ対７６により排出口１３からプリンタ１０の外部に排出される。連続してプリントする場合には、先端を記録部７１まで戻した後に前述と同じようにして次の画像が記録紙１７に記録される。また、プリント作業を終了すると、搬送ローラ対７０や給紙ローラ３６を逆転させて帯状記録紙１７の先端を記録紙収納室１５内に引き戻す。なお、この引き戻し量は予め決定されており、帯状記録紙１７の先端が給紙ローラ３６を過ぎて戻されることのないようになっている。
【００４２】
ロール記録紙２２の交換は次のようにして行われる。プリンタ１０の操作部１２の開閉ボタンを操作する。その操作に連動してロック機構のロックが解除され、蓋１４がバネの力で開き位置に開く。これにより、蓋１４の押さえ部４６が第２の押さえ板４５の被押さえ部６０から退避する。押さえ部４６の押圧が解除されると、圧縮バネ４４の付勢により第２の押さえ板４５が軸４１を中心として反時計方向、すなわち第１の押さえ板４２から離れる方向に向けて回転して図９に示す状態となる。このとき、圧縮バネ４４の圧縮が開放され、押圧部４８の被押圧部３０への付勢力がネジリバネ４３のみの付勢力となる。
【００４３】
その後は、両側の被押圧部３０を持ってガイド部２９をガイド溝３７から開口３９に向けて押し込む。これにより、被押圧部３０に押圧部３０が押されて第１の押さえ板４２が解除位置に向けて回転する。この操作は、ネジリバネ４３のみの付勢に抗して行うため大きな力を必要とせず、容易な力で行うことができる。このように第１の押さえ板４２を解除位置に向けて回転することで記録紙収納室１５の外部に向けて記録紙ロールユニット２４を取り出すことができる。その後は、取り出した記録紙ロールユニット２４からペーパーホルダ２３を取り外し、新たなロール記録紙２２にペーパーホルダ２３を取り付けてそれを記録紙収納室１５にセットすることで交換作業が完了する。
【００４４】
なお、上記実施形態では、第１及び第２の押さえ板４２，４５を同じ方向に回転させて押圧力を付与するように構成しているが、別の例として互いに異なる方向に、直線的にスライド移動することで押圧力を付与する構成としてもよい。この場合には、引っ張りバネを用い、第２の押さえ板が第１の押さえ板から離反したときに引っ張りバネの付勢力を第１の押さえ板に付与し、また接近したときに前記付勢力が解除される。また、上記実施形態では、ロール記録紙２２を給紙ローラ３６に押圧する押圧機構としているが、逆に給紙ローラ３６をロール記録紙２２に押圧するようにしてもよいし、密着するように双方を押圧するようにしてもよい。
【００４５】
また、上記実施例では、プリンタ１０の記録紙収納室１５に押圧機構を設けているが、プリンタ１０から着脱自在に取り付けられる給紙マガジンに押圧機構を設けてもよい。この場合には、給紙マガジンにロール記録紙をセットする。また、給紙マガジンを用いる場合には、給紙ローラ３６を省略することもできる。この場合には、プリンタ側に給紙ローラが組み込まれている。そして、給紙マガジンをプリンタにセットしたとき給紙ローラが給紙マガジンに入り込むように、マガジンに開口を形成しておく。開口を通して入り込む給紙ローラは、ロール記録紙の外周に当接する。ロール記録紙は、第１の押さえ板によって給紙ローラに向けて押圧される。マガジンの開口は、給紙マガジンをプリンタから取り外したときに蓋で遮蔽されるように構成するのが望ましい。
【００４６】
さらに、上記実施形態では、ガイド部材として支持板３５を切り欠いて形成したガイド溝３７を用いたが、この他に、ガイドレールやガイド突条を側板に設けてガイド部材を構成してもよい。
【００４７】
上記実施形態では、カラー感熱プリンタとしたが、この他に、銀塩式写真プリンタやそれに用いる印画紙の給紙マガジンに本発明を実施してもよい。また、遮光や防湿を必要としない通常の普通紙用のプリンタや給紙マガジンに本発明を実施してもよい。
【００４８】
【発明の効果】
以上のように、本発明によれば、ロール記録紙を給紙ローラに押圧する所定の押圧力を、第１の付勢手段の付勢によって第１の押さえ板が押圧する力と、第２の付勢手段の付勢によって第２の押さえ板が押圧する力との２つに分けて与えるように構成し、最初に所定の押圧力よりも弱い第１の押さえ板の押圧力でロール記録紙を給紙ローラに押圧しておき、蓋を閉めたときに、第１の押さえ板の押圧に加えて第２の押さえ板の押圧を付与して２つのトータルの押圧力が所定の押圧力となるように、ロール記録紙を給紙ローラに押圧するように構成したから、確実な押圧力を得ることができるとともに、蓋の開閉操作に強い力を必要とせず、よって操作が楽で、しかも安全に蓋の開閉を行うことができる。
【図面の簡単な説明】
【図１】本発明の記録紙収納装置を用いたプリンタの斜視図であり、蓋を閉じた状態を示している。
【図２】プリンタの斜視図であり、蓋を開いた状態を示している。
【図３】記録紙収納室の中央縦断面図であり、蓋を閉じた状を示している。
【図４】記録紙ロールユニットの分解斜視図である。
【図５】記録紙収納室内に取り付けられた支持板の要部を示した斜視図である。
【図６】押圧機構の要部を示した分解斜視図である。
【図７】押圧機構の要部を示した縦断面図である。
【図８】蓋を開けた状態の記録紙収納室の縦断面図である。
【図９】記録紙ロールユニットをセットした状態の記録紙収納室の説明図であり、蓋を開けた状態を示している。
【図１０】蓋を閉めた状態をの記録紙収納室の説明図である。
【図１１】蓋を閉じた状態の記録紙収納室の説明図であり、記録紙が少なくなった状態を示している。
【図１２】プリンタ内部の機構を概略てきに示した説明図である。
【符号の説明】
１０  プリンタ
１７  ロール記録紙
４０  押圧機構
３０  被押圧部
３５  支持板
３７  ガイド溝
４２  第１の押さえ板
４５  第２の押さえ板
４３  ネジリバネ（第１の付勢手段）
４４  圧縮バネ（第２の付勢手段）
４６  押さえ部
６０  被押さえ部
【図１】
0003746241.tif 000002
【図２】
0003746241.tif 000003
【図３】
0003746241.tif 000004
【図４】
0003746241.tif 000005
【図５】
0003746241.tif 000006
【図６】
0003746241.tif 000007
【図７】
0003746241.tif 000008
【図８】
0003746241.tif 000009
【図９】
0003746241.tif 000010
【図１０】
0003746241.tif 000011
【図１１】
0003746241.tif 000012
【図１２】
0003746241.tif 000013